(57)【特許請求の範囲】
【請求項１】
光学系ユニットに形成されている凹み空間の段付状のミラー取付基準面に載架されているハーフミラーを固定するためのアーム状の押圧部を備えたミラー取付具の取付部が、上記光学系ユニットに固定されている光走査装置において、
上記光学系ユニットの凹み空間の後部に位置してその凹み空間の左右両側に張り出した溝型凹部に、上記ミラー取付具に備わっている左右一対の突片部の全体が差し込まれていると共に、上記光学系ユニットの凹み空間の後側に位置する平面視矩形の凹所に、上記ミラー取付具の上端部に備わっている水平姿勢の上記取付部の全体が差し込まれて収容され、
上記取付部に相対向して具備された一対の上開き姿勢の係合片部のエッジ状の端縁が上記凹所の相対向する一対の壁面のそれぞれに弾圧状態で係止されることにより、その取付部が上記光学系ユニットに固定されていると共に、上記ハーフミラーの左右の端部が、上記ミラー取付具の下端部に備わっている左右一対のアーム状の上記押圧部と上記ミラー取付基準面とにより弾圧挟持された状態で定位置に位置決めされて固定されており、
一対の上記係合片部のそれぞれに、それらの係合片部を内向きに弾性変形させて上記端縁と上記凹所の壁面との係止状態を解除させるための操作用片部が後方に向けて延出され、これらの操作用片部の全体を収容しかつ上記凹所よりも幅広でその凹所の後側に位置する操作用治具挿入用の凹入部が上記光学系ユニットに具備され、上記取付部に具備されて一対の上記係合片部の下端縁相互間に亘る板片部が上記凹所の底壁面に重ね合わされ、その板片部に、上記光学系ユニットにねじ込まれる取付ねじの挿通孔と、この挿通孔の後側部位で上記板片部を前後方向に横切る割り溝とが形成されていて、
上記凹入部に差し込んだ操作用治具で上記操作用片部を内向きに弾性変形させて上記端縁と上記凹所の壁面との係止状態を解除させた状態でその操作用片部を内向きに弾性変形させたまま、上記取付部を上記凹所から引き上げることにより上記ミラー取付具を光学系ユニットからから取り出すことを可能にしたことを特徴とする光走査装置。
【発明の詳細な説明】
【０００１】
【発明の属する技術分野】
本発明は、光ビームを用いてディスクに情報を書き込んだりディスクの情報を読み取ったりすることに用いられる光走査装置、特にハーフミラーを備えた光学系ユニットを有する光走査装置に関する。
【０００２】
【従来の技術】
この種の光走査装置は、回転しているディスクに光ビームを照射することによってディスクに対する情報の読み書きを行うものであり、光ビームを照射するための光学系ユニットがディスクの半径方向に沿う方向に移動することができるようになっていて、光学系ユニットにはハーフミラーなどの光学部品が組み込まれている。
【０００３】
図５は従来の光走査装置に採用されていた光学系ユニットの部分平面図、図６は図５のＶＩ−ＶＩ線断面図、図７はミラー取付具の斜視図であり、図５〜図７を参照して従来の光走査装置を説明する。
【０００４】
この光走査装置では、合成樹脂成形体でなる光学系ユニット１に光路を形成する透孔２，３が形成されていると共に、その光学系ユニット１に、透孔２，３に臨むハーフミラー４が取り付けられている。具体的には、光学系ユニット１に凹み空間５が形成され、その凹み空間５の内側に段付状に形成された傾斜したミラー取付基準面６に、矩形のハーフミラー４の左右の端部が載架されていると共に、そのハーフミラー４がミラー取付具７の作用によってミラー取付基準面６に弾圧して固定されている。
【０００５】
図７のように、ミラー取付具７は板金製であって、左右一対のアーム状の押圧部７１，７１と取付部７２とを有し、取付部７２に、左右一対の突片部７３，７３と、切起し形成された係止爪７４，７４とが備わっている。そして、光学系ユニット１の凹み空間５の後側に付設された溝形凹部８に上記取付部７２が差し込まれ、その取付部７２の左右の突片部７３，７３の前端縁が溝形凹部８の前壁面８１に突き当てられ、かつ、上記係止爪７４，７４のエッジ状の端縁７４ａ，７４ａが溝形凹部８の後壁面８２に弾圧状態で係止されていると共に、左右の押圧部７１，７１が、ハーフミラー４の左右の端部に重なり合ってそのハーフミラー４をミラー取付基準面６に弾圧して固定している。
【０００６】
一方、特開平３−１７４１０８号公報には、光学式情報記録再生装置において、ハーフミラーを光学系本体（上記光学系ユニットに相当している）に固定するのに板ばねと接着剤とを用いることや、その板ばねを光学系本体に固定するのに光学系本体に設けた樹脂製ボス部に板ばねの位置決め孔を嵌合することなどが記載されている。
【０００７】
また、特開２０００−２３５１５８号公報には、光走査装置の光学箱にねじ止めしたミラーホルダーに板ばねを取り付け、この板ばねによってハーフミラーをミラーホルダーに保持させるための構成が記載されている。
【０００８】
さらに、実開平２−１３５９２２号公報には、光ピックアップの光学部品ホルダーに配備したハーフミラーを、板ばねを用いて位置決めするための構成が記載されている。
【０００９】
【発明が解決しようとする課題】
図５〜図７を参照して説明した従来の光走査装置では、ミラー取付具７の取付部７２が狭い溝形凹部８に差し込まれ、その溝形凹部８の後壁面８２に、取付部７２に切起し形成された係止爪７４の端縁７４ａが弾圧状態で係止されている。このため、係止爪７４が溝形凹部８の後壁面８２に係止することによってミラー取付具７の抜止め作用が発揮されるものの、ミラー取付具７を光学系ユニット１に一旦取り付けてしまうと、その後はミラー取付具７を取り外すことが困難であり、ミラー取付具７を無理に引き出して取り外したりすると、係止爪７４の端縁７４ａが溝形凹部８の後壁面８２を傷付けたり削りとったりしてしまう。したがって、光学系ユニット１に対するミラー取付具７の取付工程でその取付状態が不良になったような場合でも、ミラー取付具７を光学系ユニット１から取り外して再度取付作業を行うということが困難であり、また、ミラー取付具７を取り外した光学系ユニット１が傷付きなどで再使用不可能になったりするという問題があった。
【００１０】
上記した特開平３−１７４１０８号公報、特開２０００−２３５１５８号公報、実開平２−１３５９２２号公報などに記載されている技術は、光学系ユニットの壁面に係止爪のエッジ状の端縁を係止させることによってミラー取付具を光学系ユニットに固定するものではない。
【００１１】
本発明は以上の問題や状況に鑑みてなされたものであり、光学系ユニットにミラー取付具を図５〜図７で説明した従来の場合と同様の簡単な操作で取り付けることが可能であるにもかかわらず、一旦取り付けたミラー取付具を光学系ユニットから容易に取り外すことが可能であり、しかも、取り外したミラー取付具の再使用や、ミラー取付具を取り外した光学系ユニットの再使用が可能になる光走査装置を提供することを目的とする。
【００１２】
【課題を解決するための手段】
本発明に係る光操作装置は、光学系ユニットに形成されている凹み空間の段付状のミラー取付基準面に載架されているハーフミラーを固定するためのアーム状の押圧部を備えたミラー取付具の取付部が、上記光学系ユニットに固定されている光走査装置において、
上記光学系ユニットの凹み空間の後部に位置してその凹み空間の左右両側に張り出した溝型凹部に、上記ミラー取付具に備わっている左右一対の突片部の全体が差し込まれていると共に、上記光学系ユニットの凹み空間の後側に位置する平面視矩形の凹所に、上記ミラー取付具の上端部に備わっている水平姿勢の上記取付部の全体が差し込まれて収容され、上記取付部に相対向して具備された一対の上開き姿勢の係合片部のエッジ状の端縁が上記凹所の相対向する一対の壁面のそれぞれに弾圧状態で係止されることにより、その取付部が上記光学系ユニットに固定されていると共に、上記ハーフミラーの左右の端部が、上記ミラー取付具の下端部に備わっている左右一対のアーム状の上記押圧部と上記ミラー取付基準面とにより弾圧挟持された状態で定位置に位置決めされて固定されており、一対の上記係合片部のそれぞれに、それらの係合片部を内向きに弾性変形させて上記端縁と上記凹所の壁面との係止状態を解除させるための操作用片部が後方に向けて延出され、これらの操作用片部の全体を収容しかつ上記凹所よりも幅広でその凹所の後側に位置する操作用治具挿入用の凹入部が上記光学系ユニットに具備され、上記取付部に具備されて一対の上記係合片部の下端縁相互間に亘る板片部が上記凹所の底壁面に重ね合わされ、その板片部に、上記光学系ユニットにねじ込まれる取付ねじの挿通孔と、この挿通孔の後側部位で上記板片部を前後方向に横切る割り溝とが形成されていて、上記凹入部に差し込んだ操作用治具で上記操作用片部を内向きに弾性変形させて上記端縁と上記凹所の壁面との係止状態を解除させた状態でその操作用片部を内向きに弾性変形させたまま、上記取付部を上記凹所から引き上げることにより上記ミラー取付具を光学系ユニットからから取り出すことを可能にした、というものである。
【００１３】
この構成であると、ミラー取付具の取付部を光学系ユニットの凹所に差し込むだけで、その取付部の一対の係合片部のエッジ状の端縁を上記凹所の相対向する一対の壁面のそれぞれに弾圧状態で係止させることができるので、光学系ユニットに対するミラー取付具の取付作業性が図５〜図７で説明した従来の場合と同等になる。また、ミラー取付具を光学系ユニットから取り外すときには、操作用片部を操作して凹所の壁面に弾圧状態で係合している係合片部を内向きに弾性変形させ、その係合片部の端縁と凹所の壁面との係止状態を解除させることが可能である。そのため、凹所の壁面を傷付けたり削りとったりすることなく、取付部を上記凹所から取り出してミラー取付具を光学系ユニットから取り外すことが可能である。そのため、取り外したミラー取付具の再使用が可能であり、ミラー取付具を取り外した光学系ユニットの再使用が可能である。
【００１４】
また、操作用片部が上記係合片部の後方に向けて突出され、光学系ユニットに、上記操作用片部を収容しかつ上記凹所よりも幅広の操作用治具挿入用の凹入部が付設されていることにより、ピンセットなどの操作用治具の先端を凹入部に差し込んだ状態で操作用片部を操作することができ、その操作によって係合片部の端縁と凹所の壁面との係止状態を解除することが可能である。また、係合片部が凹所に収容され、係合片部の後方に向けて突出された操作用片部が凹入部に収容されているので、係合片部や操作用片部が光学系ユニットから突き出さない。そのため、いたずらなどの不慮の操作によって操作用片部が操作されるという事態が防止される。
【００１５】
また、操作用片部が、一対の上記係合片部の下端縁の相互間に亘って一体に連設された板片部を有し、この板片部にその後端から前方に向けて延びる割り溝が形成されていることにより、係合片部の弾性力が、その係合片部自体の弾性作用だけでなく、板片部の弾性作用によっても発揮されるようになる。そのため、係合片部が凹所の壁面に係止されているときの弾圧力の大きさを調節しやすくなる。
【００１６】
また、上記板片部が上記凹所の底壁面に重ね合わされ、その板片部に、上記光学系ユニットにねじ込まれる取付ねじの挿通孔が開設されていることにより、取付ねじを用いてより確実にミラー取付具を光学系ユニットに取り付けることが可能になる。
【００１７】
この発明の作用は次に説明する実施形態で詳細に説明する。
【００１８】
【発明の実施の形態】
図１は本発明の光走査装置に採用される光学系ユニットの部分平面図、図２は図１のＩＩ−ＩＩ線断面図、図３は図１のＩＩＩ−ＩＩＩ線断面図、図４はミラー取付具の斜視図である。
【００１９】
光学系ユニット１に光路を形成する透孔２，３が形成されていると共に、その光学系ユニット１に、透孔２，３に臨むハーフミラー４が取り付けられている点、並びに、光学系ユニット１に凹み空間５が形成され、その凹み空間５の内側に段付状に形成された傾斜したミラー取付基準面６に矩形のハーフミラー４の左右の端部が載架されていると共に、そのハーフミラー４がミラー取付具７の作用によってミラー取付基準面６に弾圧して固定されている点は、図５又は図６で説明した従来の場合と同様である。
【００２０】
図４のように、ミラー取付具７は板金製であり、左右一対のアーム状の押圧部７１，７１と左右一対の突片部７３，７３とを備えていると共に、水平姿勢の取付部７２を備えている。そして、取付部７２が、起立姿勢で相対向した一対の係合片部７５，７５と、これらの係合片部７５，７５の下端縁相互間に亘る板片部７６とを備え、それぞれの係合片部７５，７５には後方に向けて操作用片部７７が延出され、板片部７６には円形の取付ねじ挿通孔７８が開設されている。さらに、板片部７６は、取付ねじ挿通孔７８の後側部位で、その板片部７６を前後方向に横切る割り溝７９によって左右に分割されている。また、係合片部７５は側面視横長矩形に形成されていて、エッジ状の端縁７５ａを備えている。
【００２１】
これに対し、光学系ユニット１には、上記凹み空間５と、その凹み空間５の後部に位置してその凹み空間５の左右両側に張り出した溝形凹部８と、凹み空間５の後側に位置する平面視矩形の凹所９と、この凹所９の後側に位置してその凹所９よりも幅広の凹入部１０とが形成されている。
【００２２】
ここで、ミラー取付具７の取付部７２に備わっている左右の係合片部７５，７５は上開き姿勢になっていて、それらのエッジ状の端縁７５ａ，７５ａの相互間隔は、上記凹所９の左右の壁面９１，９１の相互間隔よりも少し広くなっている。
【００２３】
ミラー取付具７を光学系ユニット１に取り付けるときには、光学系ユニット１のミラー取付基準面６にハーフミラー４を載架した後、溝形凹部８に左右の突片部７３，７３を差し込むことによって、左右一対のアーム状の押圧部７１，７１でハーフミラー４をミラー取付基準面６に弾圧状態で押し付けさせると共に、取付部７２の左右の係合片部７５，７５の端縁７５ａ，７５ａを凹所９の左右の壁面９１，９１上で滑らせながらその取付部７２を凹所９に差し込む。このようにすると、図３のように、左右の係合片部７５，７５のエッジ状の端縁７５ａ，７５ａが凹所９の左右の壁面９１，９１に弾圧状態で係止し、板片部７６が凹所９の底壁面９２に重なり合う。また、図１又は図２のように左右の押圧部７１，７１によってハーフミラー４が光学系ユニット１のミラー取付基準面６に弾圧されて固定されると共に、操作用片部７７，７７が凹入部１０に収容される。
【００２４】
これにより、ミラー取付具７の取付部７２が、左右の係合片部７５，７５のエッジ状の端縁７５ａ，７５ａと凹所９の左右の壁面９１，９１との係止によって凹所９内に位置決めされるので、ミラー取付具７が光学系ユニット１に動かないように取り付けられる。しかも、ハーフミラー４がミラー取付基準面６と左右の押圧部７１，７１とにより弾圧挟持されて定位置に位置決めされる。
【００２５】
光学系ユニット１に対するミラー取付具７の固定は、上記したような左右の係合片部７５，７５のエッジ状の端縁７５ａ，７５ａと凹所９の左右の壁面９１，９１との係止だけによっても十分に可能であるけれども、固定信頼性をさらに高めるには、図１又は図２のように凹所９の底壁面９２に取付ねじ（不図示）をねじ込むための粗孔９３を形成しておき、取付部７２の取付ねじ挿通孔７８を通してその粗孔９３に取付ねじをねじ込んで締め付けておけばよい。
【００２６】
この取付状態では、取付部７２の全体が凹所９に収容され、操作用片部７７が凹入部１０に収容されているので、係合片部７５や操作用片部７７が光学系ユニット１から突き出さない。そのため、いたずらによって操作用片部７７が操作されて、ミラー取付具７やハーフミラー４が不慮に光学系ユニット１から外されたりするおそれがない。
【００２７】
この実施形態では、上記したような取付作業を行うことにより何らかの理由でハーフミラー４の取付状態が不良という状況が生じた場合には、光学系ユニット１に一旦取り付けたミラー取付具７を取り外して再度取り付けるという作業を行うことができる。このことを次に説明する。
【００２８】
ミラー取付具７を光学系ユニット１から取り外すときには、ピンセットなどの操作用治具（不図示）の先端を、図１に示されている凹入部１０の両端部位に差し込んで操作用片部７７，７７の外側に位置させ、その状態から操作用治具の先端で操作用片部７７，７７を矢印ａ，ａのように内向きに変形させる。図３の拡大図には、内側に変形した操作用片部７７を仮想線で示してある。このようにすると、操作用片部７７，７７と共に、凹所９の壁面９１，９１に弾圧状態で係合している係合片部７５，７５が内向きに弾性変形するので、それらの係合片部７５，７５の端縁７５ａ，７５ａ（図３参照）と凹所９の壁面９１，９１との係止状態が解除される。こうして両者の係止状態を解除した状態で、取付部７２を凹所９から引き上げることにより、ミラー取付具７を光学系ユニット１から取り出す。このようにすることによって、凹所９の壁面９１，９１を傷付けることなくミラー取付具７を取り外すことができるので、ミラー取付具７や光学系ユニット１を再使用することが可能である。
【００２９】
この実施形態では、板片部７６に割り溝７９が形成されているため、係合片部７５の弾性力が、その係合片部７５自体の弾性作用だけでなく、板片部７６の弾性作用によっても発揮されるようになる。そのため、係合片部７５が凹所９の壁面９１に係止されているときの弾圧力の大きさを調節しやすくなり、そのことが、ミラー取付具７によるハーフミラー４の取付安定性を高めたり、ミラー取付具７を光学系ユニット１に取り付けるときの取付作業性を高めたりすることに役立つ。
【００３０】
なお、図１〜図４では、図５〜図７に示した同一又は相応する部分に同一符号を付してある。
【００３１】
【発明の効果】
以上のように、本発明によれば、光学系ユニットにミラー取付具を図５〜図７で説明した従来の場合と同様の簡単な操作で取り付けることが可能であるにもかかわらず、一旦取り付けたミラー取付具を光学系ユニットから容易に取り外すことが可能になり、しかも、取り外したミラー取付具の再使用や、ミラー取付具を取り外した光学系ユニットの再使用が可能になるという効果が発揮される。特に、操作用片部が光学系ユニットの凹入部に収容されているものでは、その操作用片部が不慮に操作されてミラー取付具やハーフミラーの取付状態が不安定になるという事態の起こるおそれがない。そのため、ディスクに対する情報の読み書きの安定性が向上する。
【図面の簡単な説明】
【図１】  本発明の光走査装置に採用される光学系ユニットの部分平面図である。
【図２】  図１のＩＩ−ＩＩ線断面図である。
【図３】  図１のＩＩＩ−ＩＩＩ線断面図である。
【図４】  ミラー取付具の斜視図である。
【図５】  従来の光走査装置に採用されていた光学系ユニットの部分平面図である。
【図６】  図５のＶＩ−ＶＩ線断面図である。
【図７】  図５に示されたミラー取付具の斜視図である。
【符号の説明】
１  光学系ユニット
４  ハーフミラー
６  ミラー取付基準面
７  ミラー取付具
９  凹所
１０  凹入部
７１  押圧部
７２  取付部
７５  係合片部
７５ａ  係合片部の端縁
７７  操作用片部
７６  板片部
７８  取付ねじ挿通孔
７９  割り溝
９１  凹所の壁面
９２  凹所の底壁面
【図１】
0003821216.tif 000002
【図２】
0003821216.tif 000003
【図３】
0003821216.tif 000004
【図４】
0003821216.tif 000005
【図５】
0003821216.tif 000006
【図６】
0003821216.tif 000007
【図７】
0003821216.tif 000008